(57)【要約】      （修正有）【課題】構造が非常にシンプルで、操作も容易であり、サイズとしても、パチンコ機を、ホールの島設備に設置するのに際して使用する水準器を固定するために必要な大きさに設定し、締め付けに際して水準器或いは外枠を損傷しないパチンコ機設置用水準器のクランプ構造を提供する。【解決手段】棒状本体２０に摺動自在の可動挟持部材２５を挟持用ネジ部材２２の回動によって、その挟持用ネジ部材２２の押圧部が前記可動挟持部材２５を押圧することで、水準器３５とパチンコ機の外枠１とを挟持して前記水準器３５を固定できるように構成した。【選択図】図１
0003147914.tif 000002
【実用新案登録請求の範囲】
【請求項１】
パチンコ機の外枠１を、島設備に対して所定の後傾角度で設置するために用いる水準器３５を固定するためのパチンコ機設置用水準器のクランプ構造であって、
棒状本体２０の先端側を折り曲げて係止部２０Ａに形成し、
前記棒状本体２０の基端側を同じ方向に折り曲げて支持部２０Ｂに形成し、
前記支持部２０Ｂに、ネジ孔２１を設けると供に前記ネジ孔２１に、挟持用ネジ部材２２を螺合させ、
前記挟持用ネジ部材２２の一端部には操作部２３が設けられ、その他端部には押圧部２４が設けられ、
棒状の可動挟持部材２５に、前記棒状本体２０を挿通する貫通孔２５Ａが形成され、該可動挟持部材２５が前記係止部２０Ａと支持部２０Ｂとの間において摺動自在に前記棒状本体２０に設けられ、
前記係止部２０Ａと前記可動挟持部材２５との間が最大に開いた状態で、両者間が１３０ｍｍ以内に設定されており、
前記挟持用ネジ部材２２の回動によって、その押圧部２４が前記可動挟持部材２５を前記係止部２０Ａの方向に押圧することで、前記係止部２０Ａと前記可動挟持部材２５との間に前記水準器３５と前記外枠１とを挟持して前記水準器３５を固定できるように構成した、
ことを特徴とするパチンコ機設置用水準器のクランプ構造。
【請求項２】
前記可動挟持部材２５にボルト貫通孔２６が設けられ、前記挟持用ネジ部材２２の押圧部２４に、該挟持用ネジ部材２２と同心のネジ孔２７が設けられ、前記ネジ孔２７に螺合するボルト２８が、前記可動挟持部材２５のボルト貫通孔２６に対して前記係止部２０Ａの側から挿通され、前記挟持用ネジ部材２２の締め付け方向での回動に際しては、前記押圧部２４で前記可動挟持部材２５を前記係止部２０Ａの方向に移動させ、緩める方向での回動に際しては、前記ボルト２８が前記ボルト貫通孔２６で滑って前記ボルト２８の頭部２８Ａで前記可動挟持部材２５を前記支持部２０Ｂの側に引き戻すように構成した、
ことを特徴とする請求項１に記載のパチンコ機設置用水準器のクランプ構造。
【請求項３】
前記可動挟持部材２５の支持部２０Ｂに向いた箇所に、Ｕ字状係止部材２９が設けられ、前記挟持用ネジ部材２２には、該Ｕ字状係止部材２９に係合する小径部３０が、前記押圧部２４よりも前記支持部２０Ｂの側に設けられ、前記挟持用ネジ部材２２が締め付けの方向に回動されたときには前記可動挟持部材２５を前記係止部２０Ａの方向に移動させ、緩める方向に回動させたときには前記押圧部２４とＵ字状係止部材２９とが相対回動を許容しながら前記可動挟持部材２５を前記支持部２０Ｂの側に戻すように構成した、
ことを特徴とする請求項１に記載のパチンコ機設置用水準器のクランプ構造。
【考案の詳細な説明】
【技術分野】
【０００１】  本考案は、パチンコ機を、ホールの島設備に設置するのに際して使用する水準器を固定するために用いるパチンコ機設置用水準器のクランプ構造に関するものである。
【背景技術】
【０００２】  一般に、遊技場にパチンコ機を設置する場合、島設備の島枠にパチンコ機の外枠を固定し、しかる後にヒンジ金具を固定してパチンコ機本体を固定する。
この際、パチンコ機本体は、遊技盤面を流下する遊技球を所定の確率で入賞させるようにするために、所定の角度で後傾（本体上部が島設備内側に入り込む）させる。一般に多用されているこの種の傾斜角度としては、鉛直線に対して、通常、振り幅は、３分乃至５分５厘の５厘刻みの６段階（尺貫法）である。【０００３】  そして、このようにパチンコ機を所定の角度で後傾させるためには、外枠を島枠に仮止めした状態で、外枠の傾斜状態を検査することが必要であり、その為に、水準器（気泡利用）、錘等（錘ゲージ）の手段が使用される。こうした測定の具体的手段については、種々提案されている。【０００４】  そして、外枠の傾斜角度を所定角度とした状態で島枠に固定（釘打ち）するのに、先ず、作業者が外枠の上部を島枠の天板に固定し、下部を手前に引きよせて、この外枠の側部前面に水準器を当て、角度を確認してから台カマチ（島枠）に固定（釘打ち）する。こうした取り付け作業は、作業員が一人で行うのが普通であり、従って、水準器を当て付けた状態で固定（釘打ち）を行うというわけには行かないもので、一旦、水準器を置いて、ハンマーに持ち替えて釘打ちを行う必要があり、釘打ち途中で傾斜角度が変化してしまうことが多々ある。勿論、外枠を取り付けた後に角度を再確認し、ズレている場合には、当然に固定をし直す必要がある。【０００５】  このようなパチンコ機の島設備に対する取り付け及び水準器に関わる先行技術としては、例えば、次のようなものが提案されている。
【特許文献１】特開２００５−３２９２２５。
【特許文献２】特開２００４−１４７７５２。
【特許文献３】実用新案登録第３１４１３０８号
【特許文献４】特開２００４−１２１７３６。
【特許文献５】特開２００４−４１３４６。
【０００６】  上述のように、水準器を使用するときには、これを外枠に当てつけ、所定傾斜角度が得られていないときに、外枠を動かして角度調節し、所定角度を確認した後に、水準器を横に置いてハンマーに持ち替えることになる。
こうした調節時に、水準器を何度も持ち上げて外枠に当てつける調整動作が必要となるもので、非常に煩わしいものであった。【０００７】  上記のような問題を解消するために、一般の冶具として使用されているクランプ（万力）を利用できないものかと考えた。
一般に用いられているクランプとしては、ネジの回動を用いて押圧を行う構造のものが利用可能である。
例えば、次の構造のものが挙げられる。
【特許文献６】特開平８−３７２９３。
【考案の開示】
【考案が解決しようとする課題】
【０００８】  特許文献６に示す如き従来構造のクランプ（万力）は、挟持幅を調節する場合にネジを利用しているが、このネジの先端が挟持物に接当しているので、その回動に伴って、ネジの先端が挟持物に摺接しながら挟み込みを行うことになり、挟持物に傷が付くという問題がある。
こうした問題を解消するために、挟持物とネジとの摺接をなくしながら挟み込みができるように工夫したものも提案されているが、こうしたクランプでも、挟持物を種々のものと想定しているため、挟み込みのストロークを大きく設定しており、大きなサイズのものとなっている。【０００９】  本考案は、かかる問題点に鑑み、構造が非常にシンプルで、操作も容易であり、サイズとしても、パチンコ機を、ホールの島設備に設置するのに際して使用する水準器を固定するために必要な大きさに設定し、締め付けに際して水準器或いは外枠を損傷しないようにすることを目的とする。
【課題を解決するための手段】
【００１０】  本考案にかかる下振り水準器は、上記課題を解決するために、請求項１に記載の通り、
パチンコ機の外枠１を、島設備に対して所定の後傾角度で設置するために用いる水準器３５を固定するためのパチンコ機設置用水準器のクランプ構造であって、
棒状本体２０の先端側を折り曲げて係止部２０Ａに形成し、
前記棒状本体２０の基端側を同じ方向に折り曲げて支持部２０Ｂに形成し、
前記支持部２０Ｂに、ネジ孔２１を設けると供に前記ネジ孔２１に、挟持用ネジ部材２２を螺合させ、
前記挟持用ネジ部材２２の一端部には操作部２３が設けられ、その他端部には押圧部２４が設けられ、
棒状の可動挟持部材２５に、前記棒状本体２０を挿通する貫通孔２５Ａが形成され、該可動挟持部材２５が前記係止部２０Ａと支持部２０Ｂとの間において摺動自在に前記棒状本体２０に設けられ、
前記係止部２０Ａと前記可動挟持部材２５との間が最大に開いた状態で、両者間が１３０ｍｍ以内に設定されており、
前記挟持用ネジ部材２２の回動によって、その押圧部２４が前記可動挟持部材２５を前記係止部２０Ａの方向に押圧することで、前記係止部２０Ａと前記可動挟持部材２５との間に前記水準器３５と前記外枠１とを挟持して前記水準器３５を固定できるように構成した、
ことを特徴とする。
【考案の効果】
【００１１】  本考案のクランプは、構造が非常にシンプルで、操作も容易であり、サイズとしても、パチンコ機を、ホールの島設備に設置するのに際して使用する水準器を固定するために必要な大きさ（挟持幅１３０ｍｍ）に設定して操作が容易となると供に全体をコンパクトに構成できており、挟持用ネジ部材が直接水準器或いは外枠に接当するものではないので、締め付けに際して水準器或いは外枠を損傷しない利点もある。
尚、取り外しに際しては、挟持用ネジ部材を回動させた後に、可動挟持部材を手操作で後退させればよい。
【考案を実施するための最良の形態】
【００１２】  本考案の実施に際しては、前記可動挟持部材２５にボルト貫通孔２６が設けられ、前記挟持用ネジ部材２２の押圧部２４に、該挟持用ネジ部材２２と同心のネジ孔２７が設けられ、前記ネジ孔２７に螺合するボルト２８が、前記可動挟持部材２５のボルト貫通孔２６に対して前記係止部２０Ａの側から挿通され、前記挟持用ネジ部材２２の締め付け方向での回動に際しては、前記押圧部２４で前記可動挟持部材２５を前記係止部２０Ａの方向に移動させ、緩める方向での回動に際しては、前記ボルト２８が前記ボルト貫通孔２６で滑って前記ボルト２８の頭部２８Ａで前記可動挟持部材２５を前記支持部２０Ｂの側に引き戻すように構成するのが好ましい。【００１３】  このように、ボルト２８を、前記可動挟持部材２５のボルト貫通孔２６に挿通し、前記挟持用ネジ部材２２の押圧部２４のネジ孔２７にネジ止めすることで、締め付け操作に際しては、押圧部２４でもって可動挟持部材２５を移動させて水準器３５と外枠１とを挟持し、緩めて取り外す際には、ボルト２８の頭部２８Ａにより、挟持用ネジ部材２２の回動に対しては可動挟持部材２５と相対滑りを起こしながら、可動挟持部材２５を支持部２０Ｂの方向に移動させることができるのである。これによって、取り外しに際しては、可動挟持部材２５が自動的に後退することになり、手操作で後退させる必要がないのである。【００１４】  また、前記可動挟持部材２５の支持部２０Ｂに向いた箇所に、Ｕ字状係止部材２９が設けられ、前記挟持用ネジ部材２２には、該Ｕ字状係止部材２９に係合する小径部３０が、前記押圧部２４よりも前記支持部２０Ｂの側に設けられ、前記挟持用ネジ部材２２が締め付けの方向に回動されたときには前記可動挟持部材２５を前記係止部２０Ａの方向に移動させ、緩める方向に回動させたときには前記押圧部２４とＵ字状係止部材２９とが相対回動を許容しながら前記可動挟持部材２５を前記支持部２０Ｂの側に戻すように構成するのが好ましい。【００１５】  このように構成することで、Ｕ字状係止部材２９を可動挟持部材２５に設け、これに係合する小径部３０を挟持用ネジ部材２２に設けるだけの簡単な構造付加で、締め付け操作に際しては、小径部３０により、挟持用ネジ部材２２の回動に対してはＵ字状係止部材２９と相対滑りを起こしながら、押圧部２４でもって可動挟持部材２５を係止部２０Ａの方向に移動させて水準器３５と外枠１とを挟持し、緩めて取り外す際には、小径部３０により、挟持用ネジ部材２２の回動に対してはＵ字状係止部材２９と相対滑りを起こしながら、可動挟持部材２５を支持部２０Ｂの方向に移動させることができるのである。このように、取り外しに際しては、可動挟持部材２５が自動的に後退することになり、手操作で後退させる必要がないのである。
【実施例】
【００１６】  以下、本考案にかかるパチンコ機設置用水準器のクランプ構造の好適実施例を説明する。
図１は、第１実施例のクランプ全体の斜視図、図２は、同クランプの一部切り欠き正面図、図３は、第２実施例の一作用状態を示す一部切り欠き正面図、図４は、第２実施例の他の作用状態を示す一部切り欠き正面図、図５は、第３実施例の一部切り欠き正面図である。図６は、パチンコ機を設置するのに用いる設置補助具の補助枠体の全体の前方から見た斜視図、図７は、補助枠体の全体の後方から見た斜視図、図８は、補助枠体の背面図、図９は、補助枠体の一側面図、図１０は、補助枠体の他側面図、図１１は、外枠を補助枠体に連結した斜視図、図１２は、外枠を島枠に固定するための一工程図、図１３は、外枠を島枠に固定するための一工程図である。【００１７】  先ず、本考案のクランプを用いるパチンコ機の取り付けに関わる説明を、図６乃至図１３に基づいて説明しておく。
この実施例で対象となるパチンコ機は、外枠１の下部に該外枠１の略全体の前面よりも前方に突出した幕板２が突出する状態で一体的に設けられているタイプのものである。
この設置補助具は、前記パチンコ機の外枠１の前面の実質的に全面に接当可能な略矩形の補助枠体３と、前記外枠１と補助枠体３の接当状態で該補助枠体３を前記外枠１に仮止めする二つの連結部材４、ここでは二つのクランプとからと成るものである。このクランプは、図１０にも示すように、手操作でネジを回して緊締を行うことができるもので、それ自体一般に用いられているものである。【００１８】  そして、前記補助枠体３の下部に、前方に突出した前記幕板２に嵌合される段部５を有する前カマチ６が備えられており、且つ、該前カマチ６には、図８にも示すように、前記外枠１の前記幕板２の上面２Ａに接当する支持部材７、ここでは、アングル材からなる支持部材７が設けられている。【００１９】  また、前記補助枠体３は、この実施例では、前記外枠１の前面１Ａに平行な前面３Ａを有する。この構造によって、該補助枠体３の前面３Ａに水準器３５を当てることができ、この水準器３５を見ることで、前記外枠１の傾斜（後傾）をみることとなる。【００２０】  更に、前記補助枠体３の両側部３Ｃ及び天板３Ｄには、アテ棒８、９が含まれ、その裏面８Ａ、９Ａが前記補助枠体３の裏面３Ｂと面一となるように構成されている。このアテ棒８、９は、島枠１０に当て付けられるものであるが、この実施例では、前面に平面が向いた平板状体で構成されており、上記連結部材４（クランプ）に対する十分な止め代となる。【００２１】  上記の構成の設置補助具は、図１１乃至図１３に示すように、次の手順で使用される。
先ず、図１０に示すように、パチンコ機から外された外枠１と前記補助枠体３とを２個の連結部材４（クランプ）を用いて、それらの上部位置で、緊締する。
この際、前記補助枠体３の前カマチ６の段部５は、前記外枠１の幕板２の上面２Ａに乗るようにして嵌合された状態となる。【００２２】  図１１に示すように、この状態の補助枠体３と外枠１とを、島設備の島枠１０の内部に持ち込み、島枠１０の上部に当て付け、その外枠１の上部を、島枠１０の上部に対して、内側から釘打ちして仮止めする。【００２３】  図１２に示すように、この後、前記補助枠体３を、その前カマチ６を把持して手前側に引き寄せ、上部の釘打ち位置を揺動中心として、該補助枠体３と共に外枠１を所定の角度で後傾させることができる。この後傾は、パチンコ機の機種、メーカー指示、遊技場の指示に基づいて決定されるが、３分乃至５分５厘の５厘刻みの６段階（尺貫法）から選択されるのが普通である。
この際、補助枠体３と外枠１とは連結部材４（クランプ）で一体化されているので、その補助枠体３を手前に移動させた場合に、外枠１が全体として手前側に傾斜し、左右方向で異なる傾斜が現れる虞がないのである。
この状態で、前記補助枠体３の前面に水準器３５（気泡タイプ）を当て、所定の角度で傾斜されているどうか確認を行う。【００２４】  次いで、図１３に示すように、前記外枠１の下部を、島枠１０の下部に所定の傾斜角度で釘止めする。しかる後、前記連結装置４のクランプを緩め、前記外枠１から前記補助枠体３を取り外す。そして、前記外枠１にヒンジ金具１３を連結して、そのヒンジ金具１３の他側部をパチンコ機本体に連結する。このようにして、パチンコ機を、島枠１０に対して所定の後傾角度でもって設置、固定するのである。【００２５】  次いで、本考案にかかるクランプについて、図１乃至図５に基づいて説明する。
第１実施例
図１及び図２は、パチンコ機の外枠１（厚み約７０ｍｍ又は５５ｍｍ）を、島設備に対して所定の後傾角度で設置するために用いる水準器３５（厚み約４０ｍｍ）を固定するためのパチンコ機設置用水準器のクランプを示す。【００２６】  図示のように、鋼製の四角棒の棒状本体２０の先端側を折り曲げて係止部２０Ａに形成している。その曲げ代は、２５ｍｍ程度である。前記棒状本体２０の基端側を同じ方向に折り曲げて支持部２０Ｂに形成している。その曲げ代は、２０ｍｍ程度である。
そして、前記支持部２０Ｂに、ネジ孔２１を設けると供に前記ネジ孔２１に、挟持用ネジ部材２２を螺合させている。そのネジ部位は、３０ｍｍ程度である。【００２７】  更に、前記挟持用ネジ部材２２の一端部には操作部２３（蝶形把持部）が設けられ、その他端部には押圧部２４が設けられている。
他方、棒状の可動挟持部材２５（鋼製の四角棒）に、前記棒状本体２０を挿通する貫通孔２５Ａが形成され、該可動挟持部材２５が前記係止部２０Ａと支持部２０Ｂとの間において摺動自在に前記棒状本体２０に設けられている。【００２８】  そして、前記係止部２０Ａと前記可動挟持部材２５との間が最大に開いた状態で、両者間（挟持幅）が１３０ｍｍ以内（即ち、パチンコ機の外枠１の厚み約７０ｍｍと水準器３５の厚み約４０ｍｍの合計を超える幅）に設定されている。換言すると、パチンコ機の設置で用いるクランプとしては、その挟持幅が限定されるものであり、大きなストロークを見込んでクランプを製造する必要性がない。
そして、前記挟持用ネジ部材２２の回動によって、その押圧部２４が前記可動挟持部材２５を前記係止部２０Ａの方向に押圧することで、前記係止部２０Ａと前記可動挟持部材２５との間に前記水準器３５と前記外枠１とを挟持して前記水準器３５を固定できるように構成してある。【００２９】  更に、前記可動挟持部材２５にボルト貫通孔２６が設けられ、前記挟持用ネジ部材２２の押圧部２４に、該挟持用ネジ部材２２と同心のネジ孔２７が設けられ、前記ネジ孔２７に螺合するボルト２８が、前記可動挟持部材２５のボルト貫通孔２６に対して前記係止部２０Ａの側から挿通され、前記挟持用ネジ部材２２の締め付け方向での回動に際しては、前記押圧部２４で前記可動挟持部材２５を前記係止部２０Ａの方向に移動させ、緩める方向での回動に際しては、前記ボルト２８が前記ボルト貫通孔２６で滑って前記ボルト２８の頭部２８Ａで前記可動挟持部材２５を前記支持部２０Ｂの側に引き戻すように構成してある。【００３０】  このように、ボルト２８を、前記可動挟持部材２５のボルト貫通孔２６に挿通し、前記挟持用ネジ部材２２の押圧部２４のネジ孔２７にネジ止めすることで、締め付け操作に際しては、押圧部２４でもって可動挟持部材２５を移動させて水準器３５と外枠１とを挟持し、緩めて取り外す際には、ボルト２８の頭部２８Ａにより、挟持用ネジ部材２２の回動に対しては可動挟持部材２５と相対滑りを起こしながら、可動挟持部材２５を支持部２０Ｂの方向に移動させることができるのである。これによって、取り外しに際しては、可動挟持部材２５が自動的に後退することになり、手操作で後退させる必要がないのである。【００３１】  第２実施例
図３及び図４は、上記実施例１とは一部の構造が異なるもので、パチンコ機の外枠１（厚み約７０ｍｍ又は５５ｍｍ）を、島設備に対して所定の後傾角度で設置するために用いる水準器３５（厚み約４０ｍｍ）を固定するためのパチンコ機設置用水準器のクランプであることに変わりはない。【００３２】  第１実施例と同様に、鋼製の四角棒の棒状本体２０の先端側を折り曲げて係止部２０Ａに形成している。その曲げ代は、２５ｍｍ程度である。前記棒状本体２０の基端側を同じ方向に折り曲げて支持部２０Ｂに形成している。その曲げ代は、２０ｍｍ程度である。そして、前記支持部２０Ｂに、ネジ孔２１を設けると供に前記ネジ孔２１に、挟持用ネジ部材２２を螺合させている。そのネジ部位は、３０ｍｍ程度である。【００３３】  更に、前記挟持用ネジ部材２２の一端部には操作部２３（蝶形把持部）が設けられ、その他端部には押圧部２４が設けられている。その押圧部２４は、前記挟持用ネジ部材２２の径よりも僅かに大径に形成されている。
他方、棒状の可動挟持部材２５（鋼製の四角棒）に、前記棒状本体２０を挿通する貫通孔２５Ａが形成され、該可動挟持部材２５が前記係止部２０Ａと支持部２０Ｂとの間において摺動自在に前記棒状本体２０に設けられている点は同様である。【００３４】  そして、前記係止部２０Ａと前記可動挟持部材２５との間が最大に開いた状態で、両者間（挟持幅）が１３０ｍｍ以内（即ち、パチンコ機の外枠１の厚み約７０ｍｍと水準器３５の厚み約４０ｍｍの合計を超える幅）に設定されている。
そして、前記挟持用ネジ部材２２の回動によって、その押圧部２４が前記可動挟持部材２５を前記係止部２０Ａの方向に押圧することで、前記係止部２０Ａと前記可動挟持部材２５との間に前記水準器３５と前記外枠１とを挟持して前記水準器３５を固定できるように構成してある。【００３５】  この第２実施例では、上記第１実施例よりも構造がシンプルであり、取り外し（挟持状態の解除）に際しては、挟持用ネジ部材を回動させた後に、可動挟持部材を手操作で後退させる必要があるが、この考案の目的は達成できるものである。【００３６】  第３実施例
図５に示すように、基本的構造は、やはり上記第１実施例と同じであり、その説明は省略するが、ここでは、次の点が相違する。
即ち、前記可動挟持部材２５の支持部２０Ｂに向いた箇所に、Ｕ字状係止部材２９が設けられ、前記挟持用ネジ部材２２には、該Ｕ字状係止部材２９に係合する小径部３０が、前記押圧部２４よりも前記支持部２０Ｂの側に設けられ、前記挟持用ネジ部材２２が締め付けの方向に回動されたときには前記可動挟持部材２５を前記係止部２０Ａの方向に移動させ、緩める方向に回動させたときには前記押圧部２４とＵ字状係止部材２９とが相対回動を許容しながら前記可動挟持部材２５を前記支持部２０Ｂの側に戻すように構成した、【００３７】  このように構成することで、Ｕ字状係止部材２９を可動挟持部材２５に設け、これに係合する小径部３０を挟持用ネジ部材２２に設けるだけの簡単な構造付加で、締め付け操作に際しては、小径部３０により、挟持用ネジ部材２２の回動に対してはＵ字状係止部材２９と相対滑りを起こしながら、押圧部２４でもって可動挟持部材２５を係止部２０Ａの方向に移動させて水準器３５と外枠１とを挟持し、緩めて取り外す際には、小径部３０により、挟持用ネジ部材２２の回動に対してはＵ字状係止部材２９と相対滑りを起こしながら、可動挟持部材２５を支持部２０Ｂの方向に移動させることができるのである。このように、取り外しに際しては、可動挟持部材２５が自動的に後退することになり、手操作で後退させる必要がないのである。
【産業上の利用可能性】
【００３８】  本考案にかかるクランプの構造は、主に、パチンコ機の設置に際しての後傾斜の検出に用いる水準器の固定に用いるもので、限定的用途ではあるが、必要とあれば、その挟持幅内であれば、他の用途にも持ち得るものであり、その応用範囲は広い。
【図面の簡単な説明】
【００３９】
【図１】本考案にかかる第１実施例のクランプ全体の斜視図である。
【図２】本考案にかかる同クランプの一部切り欠き正面図である。
【図３】本考案にかかるクランプの第２実施例の一作用状態を示す一部切り欠き正面図である。
【図４】本考案にかかるクランプの第２実施例の他の作用状態を示す一部切り欠き正面図下振り水準器のベアリング保持部材の分解斜視図である。
【図５】本考案にかかるクランプの第３実施例の一部切り欠き正面図下振り水準器の下振り部材の先端部の拡大斜視図である。
【図６】本考案にかかるクランプを用いるパチンコ機の設置補助具の補助枠体の全体の前方から見た斜視図である。
【図７】本考案にかかるクランプを用いるパチンコ機の設置補助具の補助枠体の全体の後方から見た斜視図である。
【図８】本考案にかかるクランプを用いる補助枠体の背面図である。
【図９】本考案にかかるクランプを用いる補助枠体の一側面図である。
【図１０】本考案にかかるクランプを用いる補助枠体の他側面図である。
【図１１】本考案にかかるクランプを用いる外枠を補助枠体に連結した斜視図である。
【図１２】本考案にかかるクランプを用いる外枠を島枠に固定するための一工程図である。
【図１３】本考案にかかるクランプを用いる外枠を島枠に固定するための一工程図である。
【符号の説明】
【００４０】１：外枠
２０：棒状本体
２０Ａ：係止部
２０Ｂ：支持部
２１：ネジ孔
２２：挟持用ネジ部材
２３：操作部
２４：押圧部
２５：可動挟持部材
２５Ａ：貫通孔
２６：ボルト貫通孔
２７：ネジ孔
２８：ボルト
２８Ａ：ボルトの頭部
２９：Ｕ字状係止部材
３０：小径部
３５：水準器
【図１】
0003147914.tif 000003
【図２】
0003147914.tif 000004
【図３】
0003147914.tif 000005
【図４】
0003147914.tif 000006
【図５】
0003147914.tif 000007
【図６】
0003147914.tif 000008
【図７】
0003147914.tif 000009
【図８】
0003147914.tif 000010
【図９】
0003147914.tif 000011
【図１０】
0003147914.tif 000012
【図１１】
0003147914.tif 000013
【図１２】
0003147914.tif 000014
【図１３】
0003147914.tif 000015